(57)【特許請求の範囲】
【請求項１】
複数の翼とそれら翼より突出した回転軸とをディスク状ハブの一方の面に形成した羽根車を、前記ディスク状ハブの一方の面が上向きとなるように姿勢を揃える、羽根車の姿勢揃え装置であって、
羽根車を載置して移動するコンベア面を有するコンベアと、
前記コンベア面の上方から下端部を自由にして吊下げられ、かつ前記コンベア面の移動方向に複数配されている反転部材とを有し、
前記反転部材は、前記コンベア面上の姿勢が揃えられていない羽根車に前記下端部が接触し、該接触により前記下端部を移動させつつ前記羽根車に安定モーメントを超える転倒モーメントを与えるものである
ことを特徴とする羽根車の姿勢揃え装置。
【請求項２】
前記反転部材が、可撓性を有する部材である
ことを特徴とする請求項１に記載の羽根車の姿勢揃え装置。
【請求項３】
前記反転部材が、前記コンベア面の上方で可動支点により支持されている
ことを特徴とする請求項１に記載の羽根車の姿勢揃え装置。
【請求項４】
前記反転部材が、板状の部材であり、板面を、前記コンベア面の移動方向に対して交差させている
ことを特徴とする請求項１ないし３のいずれかに記載の羽根車の姿勢揃え装置。
【請求項５】
前記コンベア面が、登り勾配の面である
ことを特徴とする請求項１ないし４のいずれかに記載の羽根車の姿勢揃え装置。
【発明の詳細な説明】
【技術分野】
【０００１】
本発明は、羽根車をバラバラな姿勢から一定の姿勢に揃えることが可能な、羽根車の姿勢揃え装置に関する。
【背景技術】
【０００２】
羽根車の製造工程では、成形後の分解作業等において、羽根車がバラバラな姿勢になることがある。このような姿勢になった羽根車は、姿勢を揃えて後工程に送ることが、後工程の作業性をよくする上で好ましいものである。
【０００３】
ワークのバラバラな姿勢を、一定の姿勢に揃える方法について、多くの方法が知られている。その中の、突起付ワークの姿勢を揃える方法として、ワークをコンベアにより移送しながら、張架した線に接触させる方法が知られている。（例えば、特許文献１参照。）
【先行技術文献】
【特許文献】
【０００４】
【特許文献１】特開平１０−００１２１１号公報
【発明の開示】
【発明が解決しようとする課題】
【０００５】
特許文献１の方法では、ワークを張架した線の下に潜らせて、ワークの姿勢を揃えている。しかし、この方法を羽根車に適用すると、羽根車がコンベア面と線との間に挟まり、羽根車が線手前に滞留して、線を断線してしまうことがある。すなわち、羽根車の円滑な移送が困難になることがある。
【０００６】
そこで、本発明では、羽根車を円滑に移送しつつ、その姿勢を揃えることが可能な、羽根車の姿勢揃え装置を提供することを目的とする。
【課題を解決するための手段】
【０００７】
本発明の羽根車の姿勢揃え装置は、複数の翼とそれら翼より突出した回転軸とをディス
ク状ハブの一方の面に形成した羽根車を、前記ディスク状ハブの一方の面が上向きとなる
ように姿勢を揃える、羽根車の姿勢揃え装置であって、羽根車を載置して移動するコンベ
ア面を有するコンベアと、前記コンベア面の上方から下端部を自由にして吊下げられ、かつ前記コンベア面の移動方向に複数配されている反転部材とを有し、前記反転部材は、前記コンベア面上の姿勢が揃えられていない羽根車に前記下端部が接触し、該接触により前記下端部を移動させつつ前記羽根車に安定モーメントを超える転倒モーメントを与えるものである。  
【０００８】
また、本発明の羽根車の姿勢揃え装置は、前記反転部材が、可撓性を有する部材であるか、あるいは、前記コンベア面の上方で可動支点により支持されていることが好ましい。
【０００９】
また、本発明の羽根車の姿勢揃え装置は、前記反転部材が、板状の部材であり、板面を、前記コンベア面の移動方向に対して交差させていることが好ましい。
【００１０】
また、本発明の羽根車の姿勢揃え装置は、前記コンベア面が、登り勾配の面であることが好ましい。
【発明の効果】
【００１２】
本発明の羽根車の姿勢揃え装置は、羽根車を円滑に移送しつつ、羽根車の姿勢を揃えることができる。
【図面の簡単な説明】
【００１３】
【図１】本発明の装置が姿勢を揃えることが可能な羽根車の一例を示す図である。
【図２】図１の羽根車がとりうる姿勢を示す図である。
【図３】本発明の実施形態を示す図である。
【図４】本実施形態に用いることが可能な、他の反転部材の構成を示す図である。
【図５】翼が下向き、且つ、軸が移送方向向きになった羽根車を、反転部材に接触させつつ移送する様子を示す図である。
【図６】翼が下向き、且つ、軸が移送方向以外の向きになった羽根車を、反転部材に接触させつつ移送する様子を示す図である。
【図７】翼が下向き、且つ、軸がコンベア面に対して直立した羽根車を、反転部材に接触させつつ移送する様子を示す図である。
【図８】翼が上向きになった羽根車を、反転部材に接触させつつ移送する様子を示す図である。
【発明を実施するための形態】
【００１４】
まず、本発明の装置について説明する前に、本発明の装置が姿勢を揃えることが可能な羽根車について、図面を参照しながら説明する。
【００１５】
本発明の装置は、例として、図１に示すような羽根車９の姿勢を揃えることができる。すなわち、ディスク状ハブ９ａの一面に、突出した軸９ｂと複数の翼９ｃとを形成した、羽根車９の姿勢を揃えることができる。
羽根車９は、ハブ９ａの翼９ｃを有する面を上向きの姿勢（以下単に、翼９ｃが上向き、と略す）にすると、図２（ａ）に示すように、ハブ９ａの翼９ｃと反対側の面が、平面Ｓに当接した姿勢となる。そして、羽根車９は、ハブ９ａの翼９ｃを有する面を下向きの姿勢（以下単に、翼９ｃが下向き、と略す）にすると、図２（ｂ）に示すように、ハブ９ａが面Ｓに対して傾いた姿勢となるか、あるいは、図２（ｃ）に示すように、軸９ｂが面Ｓに対して立った姿勢となる。
本発明の装置は、図１に示すような羽根車について、翼が下向きになった羽根車を反転して、上向きに揃える装置である。すなわち、図２（ｂ）と図２（ｃ）に示す姿勢の羽根車９を反転して、図２（ａ）に示す姿勢に揃える装置である。
【００１６】
次に、本発明の羽根車の姿勢揃え装置の実施形態について、図面を参照しながら説明する。
【００１７】
図３に示すように、本実施形態の装置は、コンベア１と反転部材２、３とを具備している。以下、構成要素について詳細に説明する。
【００１８】
（コンベア）
図３に示すように、コンベア１は、コンベア面１ａと、コンベア面１ａを駆動して太矢印方向に移動させるモータ１ｂとを有している。そして、コンベア面１ａは、羽根車９を載置して移動し、羽根車９を、図の右側の上流側から図の左側の下流側に移送できる。
【００１９】
ここで、コンベア面１ａは、羽根車９が滑り難い面にすることが好ましい。例えば、コンベア１をベルトコンベアにする等、コンベア面１ａを高摩擦ベルトにすることが好ましい。これにより、後で説明するように、反転部材２、３に接触した羽根車９を反転しやすくなり、姿勢を揃えやすくなる。
【００２０】
また、本実施形態の装置では、コンベア面１ａを水平にしているが、コンベア面１ａを、登り勾配の面にすることもできる。言い換えれば、コンベア面１ａを、羽根車９が登坂するような面にすることもできる。これにより、後で説明するように、翼９ｃが下向きになった羽根車９を、軸９ｂの方向を揃えた姿勢から反転して、姿勢を揃えやすくなる。
【００２１】
（反転部材）
図３に示すように、反転部材２、３は、板状の部材であって、コンベア面１ａの上方に配された固定部材４、５に支持されていて、下端部２ａ、３ａを自由にして吊下げられている。そして、下端部２ａ、３ａとコンベア面１ａとの間隔を、下端部２ａ、３ａが羽根車９に接触するような間隔にしている。
【００２２】
ここで、反転部材２、３は、可撓性を有し、羽根車９が滑り難い面を有する部材、例えば、ゴムシート等にすることが好ましい。これにより、羽根車９が下端部２ａ、３ａに接触すると、下端部２ａ、３ａが下流側に押されて、反転部材は弓なりに変形する。つまり、下端部２ａ、３ａとしてみれば接触によって下流側に移動することとなる。これにより、羽根車９を下端部２ａ、３ａに接触させつつ移送することができ、羽根車９を下流側に容易に排出して、滞留させること無しに円滑に移送できる。
【００２３】
また、変形した反転部材２、３は、その自重により変形状態から回復しようとする復元力を発生する。この復元力により、反転部材２，３は、羽根車９に転倒モーメントを与えることができ、翼９ｃが下向きになった羽根車９を反転して、上向きに揃えることができる。
【００２４】
また、上記の説明では、可撓性を有する反転部材２、３について説明したが、反転部材２、３は、下端部２ａ、３ａの可動支点により移動可能な部材にしてもよい。
例えば、図４（ａ）に示すように、反転部材２、３を、蝶番８により固定部材４、５に締結し、蝶番８を可動支点として振れ移動可能にすることで、反転部材２、３を硬質な部材にしてもよい。また、図４（ｂ）に示すように、硬質な部材を、蝶番８のような可動支点により連接して、振れ移動可能な反転部材２、３にしてもよい。
いずれの反転部材２、３にしても、羽根車９が下端部２ａ、３ａに接触したとき、その接触を維持しつつ、羽根車９を移送できる。これにより、羽根車９を下流側に容易に排出して、滞留させること無しに円滑に移送できる。
【００２５】
また、下端部２ａ、３ａを可動支点により移動可能にする反転部材２、３は、下端部２ａ、３ａが移動すると、その自重により元の位置に戻ろうとする復元力を発生する。この力により、反転部材２、３は、羽根車９に転倒モーメントを与えることができ、翼９ｃが下向きになった羽根車９を反転して、上向きに揃えることができる。
【００２６】
可撓性を有する反転部材２、３は、羽根車９との接触箇所である下端部２ａ、３ａを局所的に変形し、羽根車９が接触する際の衝撃を小さくできる。また、下端部２ａ、３ａを可動支点により移動可能にする反転部材２、３は、移動方向やそれに伴う復元力の方向を限定し、反転に必要な転倒モーメントを効率よく羽根車９に与えることができる。
このように、反転部材２、３は、材質により異なる効果にして、羽根車９に、反転に必要な転倒モーメントを与えることができる。よって、反転部材２、３は、羽根車９の材質や形状に合わせて、適宜材質を選択できる。
【００２７】
また、本実施形態の装置では、反転部材２、３を、羽根車９に対して幅広の板状の部材にし、反転部材面２ｂ、３ｂを、コンベヤ面１ａの移動方向に対して交差させることが好ましい。そして、本実施形態の装置のように、交差させる角度を略垂直にすることがより好ましい。これにより、羽根車９を下端部２ａ、３ａに接触させつつ移送したとき、羽根車９と下端部２ａ、３ａとの接触が維持しやすくなり、羽根車９に転倒モーメントを与えやすくなって、翼９ｃが下向きになった羽根車９を反転しやすくなる。
【００２８】
また、反転部材２、３は、図３に示すように、コンベア面１ａの移動方向に複数配することが好ましい。これにより、後で説明するように、翼９ｃが下向きになった羽根車９に、転倒モーメントを与える機会が増え、羽根車９を反転しやすくなる。なお、本実施形態では、反転部材２、３の２式の反転部材を配しているが、装置のスペースにより、３式以上配してもよい。これにより、翼９ｃが下向きになった羽根車９を、より反転しやすくなる。
また、反転部材２、３の間隔は、羽根車９が反転部材２から離れた後に、反転部材３に接触するような間隔にすることが好ましい。これにより、翼９ｃが下向きになった羽根車９を、より反転しやすくなる。
【００２９】
また、反転部材２、３は、吊下げ長さを羽根車９に対して十分に長くすることが好ましい。これにより、羽根車９を下端部２ａ、３ａに接触させつつ移送したとき、下端部２ａ、３ａの変形や振れ角が小さくなり、下端部２ａ、３ａの復元力の方向を、羽根車９の移送方向と対向する向きにできる。そして、羽根車９に転倒モーメントを与えやすくなり、翼９ｃが下向きになった羽根車９を、反転しやすくなる。
また、反転部材２、３は、吊下げ長さを羽根車９に対して十分に長くすることにより、羽根車９から離れた後、下端部２ａ、３ａの振動をより早く減衰させることができる。これにより、羽根車９を、短い間隔にして連続して姿勢を揃えることができる。
【００３０】
なお、反転部材２、３の吊下げ長さ（Ｌ）は、コンベア面１ａ上における羽根車９の高さと反転部材２、３の吊下げ高さの差、すなわち、反転部材２、３が羽根車９に接触する接触しろ長さ（ｘ）を基に設定することが好ましく、Ｌをｘの１０倍以上にすることが好ましい。これにより、上記作用をより効果的に得ることができる。
【００３１】
次に、本実施形態の装置が、羽根車９の姿勢を揃える動作について説明する。
図３に示すように、本実施形態の装置において、羽根車９をコンベア面１ａの上流側に載置してモータ１ｂを駆動すると、羽根車９は、コンベア面１ａにより移送されて反転部材２に到達する。その際、羽根車９は、
１）翼９ｃが下向き、且つ、軸９ｂが移送方向向き。
２）翼９ｃが下向き、且つ、軸９ｂが移送方向以外の向き。
３）翼９ｃが下向き、且つ、軸９ｂがコンベア面１ａに対して直立。
４）翼９ｃが上向き。
の４種の姿勢にて、反転部材２に到達する可能性がある。
以下の説明では、本実施形態の装置が羽根車９の姿勢を揃える動作について、上記の場合に分けて説明する。
【００３２】
（翼９ｃが下向き、且つ、軸９ｂが移送方向向きになって到達した場合）
図５（ａ）に示すように、翼９ｃが下向き、且つ、軸９ｂを移送方向向きになって、羽根車９が、反転部材２に到達すると、図５（ｂ）に示すように、反転部材２は、弓なりに変形し、羽根車９を下端部２ａに接触させつつ移送する。そして、反転部材２は、その自重により変形状態から回復しようとする復元力Ｆを発生する。
【００３３】
ここで、コンベヤ面１ａとハブ９ａとの接点Ｏを中心とするモーメントの釣り合いを考えると、羽根車９には、復元力Ｆにより、羽根車９を時計回りに回転させようとするモーメント、すなわち、転倒モーメントが与えられる。そして、羽根車９には、羽根車９の重心Ｇにはたらく自重ｍｇにより、羽根車９を反時計回りに回転させようとするモーメント、すなわち、安定モーメントが与えられる。
【００３４】
ここで、図１に示した形状により、羽根車９は、翼９ｃが下向きになった状態が、不安定な姿勢となる。そのため、下端部２ａから羽根車９に安定モーメントを超える転倒モーメントが与えられると、羽根車９は、点Ｏを中心に時計回りに回転し、さらに重心Ｇが点Ｏの真上を超えると、細い矢印の方向に反転する。そして、図５（ｃ）に示すように、羽根車９は、弓なりに変形した反転部材２の下から、翼９ｃが上向きになって排出され、滞留すること無しにコンベア面１ａにより移送される。
【００３５】
そして、羽根車９は、翼９ｃが上向きになって、コンベア面１ａにより反転部材３に到達し、後述する翼９ｃが上向きになって到達した場合で説明するように、反転部材３において、翼９ｃが上向きになったまま滞留すること無く移送され、コンベア面１ａの下流端に到達する。
【００３６】
（翼９ｃが下向き、且つ、軸９ｂが移送方向以外の向きになって到達した場合）
図６（ａ）に示すように、翼９ｃが下向き、且つ、軸９ｂを移送方向以外の向きにして、羽根車９が、反転部材２に到達すると、図６（ｂ）に示すように、反転部材２は、弓なりに変形し、羽根車９を下端部２ａに接触させつつ移送する。そして、反転部材２は、その自重により変形状態から回復しようとする復元力Ｆを発生する。
【００３７】
この場合にも、羽根車９には、復元力Ｆによる転倒モーメントと、自重ｍｇによる安定モーメントとが、相対する回転方向にして与えられる。ここで、図１に示した形状により、羽根車９は、翼９ｃが下向きになった状態が、不安定な姿勢となる。そのため、下端部２ａから羽根車９に安定モーメントを超える転倒モーメントが与えられると、羽根車９は、コンベヤ面１ａと軸９ｂとの接点Ｏを中心に回転する。その際、羽根車９は、翼９ｃが上向きになるまで回転する場合もあるが、反転部材２とディスク状ハブ９ａとの位置関係から、多くの場合そこまでは回転せず、図６（ｃ）に示すように、弓なりに変形した反転部材２の下から、翼９ｃが下向き、且つ、軸９ｂが移送方向向きになって排出され、滞留すること無しにコンベア面１ａにより移送される。
【００３８】
そして、羽根車９は、翼９ｃが下向き、且つ、軸９ｂが移送方向向きになって、コンベア面１ａにより反転部材３に到達し、反転部材３において、図５に示したように、翼９ｃが上向きになるよう反転され、コンベア面１ａの下流端に到達する。
【００３９】
（翼９ｃが下向き、且つ、軸９ｂがコンベア面１ａに対して直立して到達した場合）
図７（ａ）に示すように、翼９ｃが下向き、且つ、軸９ｂがコンベア面１ａに対して直立して、羽根車９が、反転部材２に到達すると、図７（ｂ）に示すように、反転部材２は、弓なりに変形し、羽根車９を下端部２ａに接触させつつ移送する。そして、反転部材２は、その自重により変形状態から回復しようとする復元力Ｆを発生する。
【００４０】
この場合にも、羽根車９には、復元力Ｆによる転倒モーメントと、自重ｍｇによる安定モーメントとが、相対する回転方向にして与えられる。ここで、図１に示した形状により、羽根車９は、翼９ｃが下向きになった状態が、不安定な姿勢となる。そのため、下端部２ａから羽根車９に安定モーメントを超える転倒モーメントが与えられると、羽根車９は、点Ｏを中心に時計回りに回転する。その際、羽根車９は、翼９ｃが上向きになるまで回転する場合もあるが、多くの場合そこまでは回転せず、図７（ｃ）に示すように、弓なりに変形した反転部材２の下から、翼９ｃが下向き、且つ、軸９ｂが移送方向向きになって排出され、滞留すること無しにコンベア面１ａにより移送される。
【００４１】
そして、羽根車９は、翼が下向き、且つ、軸９ｂが移送方向向きになって、コンベア面１ａにより反転部材３に到達し、反転部材３において、図５に示したように、翼９ｃが上向きになるよう反転され、コンベア面１ａの下流端に到達する。
【００４２】
（翼９ｃが上向きになって到達した場合）
図８（ａ）に示すように、羽根車９が、翼９ｃが上向きになって反転部材２に到達すると、図８（ｂ）に示すように、反転部材２は、弓なりに変形し、下端部２ａを下端部２に接触させつつ移送する。そして、反転部材２は、その自重により変形状態から回復しようとする復元力Ｆを発生する。
【００４３】
この場合にも、羽根車９には、復元力Ｆによる転倒モーメントと、自重ｍｇによる安定モーメントとが、相対する回転方向にして与えられる。ここで、図１に示した形状により、羽根車９は、翼９ｃが上向きになった状態が、安定な姿勢となる。そのため、先に説明した反転部材２にしても、安定モーメントを転倒モーメントより大きくすることができ、この場合、図８（ｃ）に示すように、羽根車９は、弓なりに変形した反転部材２の下から、翼９ｃが上向きのまま排出され、滞留すること無しにコンベア面１ａにより移送される。
【００４４】
そして、羽根車９は、翼９ｃが上向きになって、コンベア面１ａにより、反転部材３に到達し、反転部材２に到達した際と同様にして、翼９ｃが向きになったまま滞留すること無く移送され、コンベア面１ａにより下流端に到達する。
【００４５】
以上のように、本実施形態の装置は、羽根車９に転倒モーメントを与える反転部材２、３を具備することにより、コンベア面１ａに載置した羽根車９を、翼９ｃが上向きに揃えて、コンベア面１ａの下流端まで移送できる。そして、反転部材２、３の下端部２ａ、３ａを、羽根車９に接触させつつ移送することにより、羽根車９は滞留すること無しに円滑に移送される。
【００４６】
以上、本発明の装置を、実施形態を基に説明してきたが、本発明の装置は、実施形態の装置に限定されるものではない。特許請求の範囲に記載された技術範囲において、その構成を自由に変更できる。
【００４７】
例えば、本実施形態の装置について、コンベア面１ａを、登り勾配の面にして、羽根車９を登坂させることもできる。このようにすることで、翼９ｃが下向きになった羽根車９について、軸９ｂを移送方向に向けて揃えることができ、反転部材２により、翼９ｃが下向きの羽根車９を効率よく反転して、羽根車９の姿勢を揃えることができる。
【符号の説明】
【００４８】
１：コンベア
１ａ：コンベア面
１ｂ：モータ
２、３：反転部材
２ａ、３ａ：下端部
２ｂ、３ｂ：反転部材面
４、５：固定部材
８：蝶番（可動支点）
９：羽根車
９ａ：ハブ
９ｂ：軸
９ｃ：翼
Ｓ：平面
Ｏ：回転中心
Ｇ：重心
ｍｇ：重力
【図１】
0006465688.tif 000002
【図２】
0006465688.tif 000003
【図３】
0006465688.tif 000004
【図４】
0006465688.tif 000005
【図５】
0006465688.tif 000006
【図６】
0006465688.tif 000007
【図７】
0006465688.tif 000008
【図８】
0006465688.tif 000009